(57)【特許請求の範囲】
【請求項１】
室外機と配管で接続される空気調和機の室内機であって、
外郭を形成する筐体の内面に、格子状の溝として形成された配管穴形成用溝部を備えており、
前記配管穴形成用溝部は、前記格子状の溝とは溝幅が異なる溝状に形成された外周枠の枠内に、前記格子状の溝が切り欠いて形成された構成である、空気調和機の室内機。
【請求項２】
前記筐体は、箱型形状からなり、一方の側面の下端部を形成する一側面下部パネルと、下面の一端部を形成する下面一端部パネルと、他方の側面の下端部を形成する他側面下部パネルと、下面の他端部を形成する下面他端部パネルと、を備え、
前記配管穴形成用溝部は、前記一側面下部パネル、前記下面一端部パネル、前記他側面下部パネル、及び前記下面他端部パネルのうち少なくとも一つに形成されている、請求項１に記載の空気調和機の室内機。
【請求項３】
前記配管穴形成用溝部は、溝状に形成された大きさの異なる複数の外周枠が、小さい外周枠を大きい外周枠で覆う配置で段階的に設けられており、
前記複数の外周枠の枠内に前記格子状の溝が切り欠いて形成されている構成である、請求項１又は２に記載の空気調和機の室内機。
【発明の詳細な説明】
【技術分野】
【０００１】
本発明は、配管通り口を形成するための配管穴形成用溝部を備えた空気調和機の室内機に関するものである。
【背景技術】
【０００２】
従来、空気調和機の室内機では、外郭を形成する筐体に、室外機に接続される配管を引き出すための切り欠き板が、筐体の右下角部及び左下角部に複数形成されている構成が知られている。切り欠き板には、筐体から切り離すときに利用される溝状の切り欠き境界線が、室内機の意匠面である外面に形成されている。室内機は、設置する場所によって配管を引き出す箇所が異なるため、設置する場所に合わせて選択した切り欠き板を切り離すこととしている。しかし、切り離さずに残った他の切り欠き板は、機能的に必要としない切り欠き境界線がそのまま状態で残るため、意匠性を損なう課題があった。【０００３】
そこで、特許文献１に開示された空気調和機の室内機では、配管の形状に合わせた円弧形状の配管穴形成用溝部を筐体の内面側にのみ形成した構成としている。
【先行技術文献】
【特許文献】
【０００４】
【特許文献１】特開２００２−３４９８９４号公報
【発明の概要】
【発明が解決しようとする課題】
【０００５】
特許文献１に開示された空気調和機の室内機では、配管接続に使用しない配管穴形成用溝部を外部から視認できない筐体の内面側に隠すことができるので、外観の意匠性を向上させることはできる。しかし、特許文献１に開示された室内機では、ニッパー等の切削工具を使用して配管穴形成用溝部の周縁に沿って切り取る際に、特に円弧部分で切り取りが困難で、作業性が悪い。しかも、配管穴形成用溝部の周縁に沿ってきれいに切り取ることは難しく、荒い切り残しが目立ち意匠性を損なう。【０００６】
本発明は、上記のような課題を解決するためになされたものであり、空気調和機の室内機の外観の意匠性を高めることができることはもとより、配管穴形成用溝部を切り取る作業を軽減でき、配管穴形成用溝部をきれいに切り取ることができる空気調和機の室内機を提供することを目的とする。
【課題を解決するための手段】
【０００７】
本発明に係る空気調和機の室内機は、室外機と配管で接続される空気調和機の室内機であって、外郭を形成する筐体の内面に、格子状の溝として形成された配管穴形成用溝部を備えており、前記配管穴形成用溝部は、前記格子状の溝とは溝幅が異なる溝状に形成された外周枠の枠内に、前記格子状の溝が切り欠いて形成された構成とされているものである。
【発明の効果】
【０００８】
本発明に係る空気調和機の室内機によれば、外郭を形成する筐体の内面に、格子状の溝として形成された配管穴形成用溝部を備えているので、筐体の意匠面（外面）を溝のないフラットな表面とすることができる。また、配管接続として使用しない配管穴形成用溝部は、外部から視認できないので、室内機の外観の意匠性を向上させることができる。更に、格子状の溝は、切削工具で格子の升目ごとに部分的に細かく切り取ることができるので、配管穴形成用溝部を切り取る作業が軽減されるし、配管穴形成用溝部をきれいに切り取ることができ、意匠性の更なる向上を実現できる。
【図面の簡単な説明】
【０００９】
【図１】本発明の実施の形態１に係る空気調和機の室内機を下方側から見た斜視図である。
【図２Ａ】本発明の実施の形態１に係る空気調和機の室内機の右下角部に設置されるＬ字形状カバーを外面側から見た斜視図である。
【図２Ｂ】本発明の実施の形態１に係る空気調和機の室内機の右下角部に設置されるＬ字形状カバーを内面側から見た斜視図である。
【図３Ａ】本発明の実施の形態１に係る空気調和機の室内機の左下角部に設置されるＬ字形状カバーを外面側から見た斜視図である。
【図３Ｂ】本発明の実施の形態１に係る空気調和機の室内機の左下角部に設置されるＬ字形状カバーを内面側から見た斜視図である。
【図４】図３Ｂで指示したＡ−Ａ線矢視部分拡大断面図である。
【図５Ａ】本発明の実施の形態１に係る空気調和機の室内機の配管穴形成用溝部を模式的に示した平面図である。
【図５Ｂ】異なる形状の外周枠を有する配管穴形成用溝部を模式的に示した平面図である。
【図５Ｃ】異なる形状の外周枠を有する配管穴形成用溝部を模式的に示した平面図である。
【図５Ｄ】異なる形状の外周枠を有する配管穴形成用溝部を模式的に示した平面図である。
【図６Ａ】異なる形状の格子状の溝を有する配管穴形成用溝部を模式的に示した平面図である。
【図６Ｂ】異なる形状の格子状の溝を有する配管穴形成用溝部を模式的に示した平面図である。
【図７】配管通り口を形成したＬ字形状カバーを示した斜視図である。
【図８】従来の空気調和機の室内機のＬ字形状カバーを示した斜視図である。
【図９】本発明の実施の形態２に係る空気調和機の室内機の配管穴形成用溝部を模式的に示した平面図である。
【発明を実施するための形態】
【００１０】
以下、図面を参照して、本発明の実施の形態について説明する。なお、各図中、同一または相当する部分には、同一符号を付して、その説明を適宜省略または簡略化する。また、各図に記載の構成について、その形状、大きさ、及び配置等は、本発明の範囲内で適宜変更することができる。
【００１１】
実施の形態１．
図１は、本発明の実施の形態１に係る空気調和機の室内機を下方側から見た斜視図である。図１に示した室内機１００は、例えば部屋の壁等に取り付けられて、室内の空調を行うものである。室内機１００は、室内機１００の外郭を形成する筐体１と、筐体１の内部に収納された、図示省略の熱交換器、送風ファン、及び電気品箱等を備えている。そして、室内機１００は、図示省略の室外機と冷媒配管で接続されている。
【００１２】
筐体１は、例えば背面ケース２と、背面ケース２に取り付けられる前面ケース３とで、実質的に直方体の箱型形状である。前面ケース３には、風向きを調整する風向調整部材３１が配設された吹出口３０が形成されている。室内機１００は、送風ファンが動作することで、室内の空気が室内機１００に取り込まれ、取り込まれた空気が熱交換器で熱交換され、熱交換された空調空気が吹出口３０から室内に吹き出される。
【００１３】
背面ケース２には、筐体１の右下角部の一部を形成する右側面下部パネル４及び下面右端部パネル５が、取り付け又は取り外しができるように設けられている。また、背面ケース２には、筐体１の左下角部の一部を形成する左側面下部パネル６及び下面左端部パネル７が、取り付け又は取り外しができるように設けられている。なお、右側面下部パネル４、下面右端部パネル５、左側面下部パネル６、及び下面左端部パネル７は、前面ケース３に設けた構成でもよい。
【００１４】
図２Ａは、本発明の実施の形態１に係る空気調和機の室内機の右下角部に設置されるＬ字形状カバーを外面側から見た斜視図である。図２Ｂは、本発明の実施の形態１に係る空気調和機の室内機の右下角部に設置されるＬ字形状カバーを内面側から見た斜視図である。右側面下部パネル４は、図２Ａに示すように、筐体１の右側面の下端部を形成するものである。下面右端部パネル５は、筐体１の下面の右端部を形成するものである。右側面下部パネル４と下面右端部パネル５は、Ｌ字形状カバー８として一体的に成形されており、例えば、筐体１の背面側の右側面と下面とを含んで形成される右下角部の一部分を形成している。
【００１５】
右側面下部パネル４の端部及び下面右端部パネル５の端部には、背面ケース２に取り付けるための取付部８ａが形成されている。つまり、Ｌ字形状カバー８は、背面ケース２に設けられた図示省略の係合部に取付部８ａを係合させて背面ケース２に取り付けられる。なお、Ｌ字形状カバー８の一側の側面には、補強用のリブ８ｂが形成されている。
【００１６】
図３Ａは、本発明の実施の形態１に係る空気調和機の室内機の左下角部に設置されるＬ字形状カバーを外面側から見た斜視図である。図３Ｂは、本発明の実施の形態１に係る空気調和機の室内機の左下角部に設置されるＬ字形状カバーを内面側から見た斜視図である。左側面下部パネル６は、筐体１の左側面の下端部を形成するものである。下面左端部パネル７は、筐体１の下面の左端部を形成するものである。左側面下部パネル６と下面左端部パネル７は、Ｌ字形状カバー９として一体的に成形されており、例えば、筐体１の背面側の左側面と下面とを含んで形成される左下角部の一部分を形成している。
【００１７】
左側面下部パネル６の端部及び下面左端部パネル７の端部には、背面ケース２に取り付けるための取付部９ａが形成されている。つまり、Ｌ字形状カバー９は、背面ケース２に設けられた図示省略の係合部に取付部９ａを係合させて背面ケース２に取り付けられる。なお、Ｌ字形状カバー９の一側の側面には、補強用のリブ９ｂが形成されている。
【００１８】
実施の形態１の室内機１００では、図２Ｂ及び図３Ｂに示すように、右側面下部パネル４、下面右端部パネル５、左側面下部パネル６、及び下面左端部パネル７の内面側に、室外機と接続する配管を引き出すための配管穴形成用溝部１０を備えている。この配管穴形成用溝部１０を例えばニッパー等の切削工具で切り取ることにより、室内機１００と室外機とを接続する配管の配管通り口１１が形成される。つまり、実施の形態１の室内機１００の外側面は、図２Ａ及び図３Ａに示すように、配管通り口１１を設ける溝が形成されていないフラットな表面となる。
【００１９】
配管穴形成用溝部１０は、溝状に形成された外周枠１３に囲まれた枠内に、格子状の溝１２が切り欠いて形成された構成である。格子状の溝１２は、パネルの他の部分よりも板厚が薄く形成されており、切削工具によって容易に切断できるように構成されたものである。配管穴形成用溝部１０は、図２Ｂ及び図３Ｂに示すように、切削工具の刃の入り口として外周枠１３の一辺をＬ字形状カバー８、９の縁辺となるように形成されている。なお、詳細に図示することは省略したが、配管穴形成用溝部１０の外周枠１３の二辺が、Ｌ字形状カバー８、９の縁辺となるようにした構成でもよい。
【００２０】
図４は、図３Ｂで指示したＡ−Ａ線矢視部分拡大断面図である。図５Ａは、本発明の実施の形態１に係る空気調和機の室内機の配管穴形成用溝部を模式的に示した平面図である。溝状の外周枠１３は、図５Ａに示すように、略四角形状の上隅部を内向きの円弧状とした形状であり、配管の外形に合わせた構成としている。外周枠１３は、図４に示すように、溝底幅を約３ｍｍ〜５ｍｍ程度とし、溝側壁を外向きに傾斜するテーパー状とした倒立台形形状としている。また、外周枠１３を形成した部分の板厚は、一例として１ｍｍ〜１．５ｍｍ程度の薄厚であり、切削工具で切り取りやすい厚さとしている。なお、外周枠１３の大きさは、一例として配管を通すことができる寸法として縦幅が４ｃｍ程度、横幅が５．５ｃｍ程度である。
【００２１】
図５Ｂ〜図５Ｄは、異なる形状の外周枠を有する配管穴形成用溝部を模式的に示した平面図である。配管穴形成用溝部１０の外周枠１３は、図５Ａに示した形状に限定されず、例えば上隅部が斜辺である多角形状とした構成（図５Ｂ）、上辺を円弧形状とした構成（図５Ｃ）、或いは半円形状とした構成（図５Ｄ）でもよい。要するに、外周枠１３は、配管を通すことができる大きさ、形状であればよく、実施の状況に合わせて適宜変更して形成するものとする。
【００２２】
格子状の溝１２は、図２Ｂ、図３Ｂに示すように、縦溝と横溝を直交させて矩形状とした構成である。格子状の溝１２の溝幅は、切削工具の刃先を溝内へ入れることができる幅寸として例えば１ｍｍ程度とする。また、格子状の溝１２の間隔は、３〜５ｍｍ程度である。格子状の溝１２の溝幅及び間隔は、筐体１の大きさに応じて適宜変更して実施するものとする。また、図４に示すように、格子状の溝１２は、溝壁がテーパー状となるＶ溝として形成されており、切削工具の刃先を溝内に入れやすい形状としている。また、格子状の溝１２をＶ溝とすることで、切削工具の刃先を溝内に入れた際に、谷部に応力が集中するため切断しやすくなるという効果も奏する。但し、格子状の溝１２は、Ｖ溝に限定されず、矩形溝又は台形溝でもよい。なお、格子状の溝１２で囲まれた部分の上面は、Ｌ字形状カバー８、９の内面と面一である。また、配管穴形成用溝部１０の格子状の溝１２を形成した部分の板厚は、一例として１ｍｍ〜１．５ｍｍ程度であり、ニッパー等の切削工具でも切り取りやすい厚さとしている。
【００２３】
図６Ａ及びＢは、異なる形状の格子状の溝を有する配管穴形成用溝部を模式的に示した平面図である。格子状の溝１２は、図６Ａに示すように傾斜溝を交差させて菱形状とした構成でよい。また、格子状の溝１２は、図６Ｂに示すように、ハニカム形状とした構成でよい。要するに、格子の形状は、図２Ｂ、図３Ｂに示した矩形状に限定されず、種々の態様で実施することができる。
【００２４】
ここで、配管穴形成用溝部１０を切り取って配管通り口１１を形成する手順について簡潔に説明する。図７は、配管通り口を形成したＬ字形状カバーを示した斜視図である。先ず、作業者は、右側面下部パネル４、下面右端部パネル５、左側面下部パネル６、及び下面左端部パネル７のうち、配管通り口１１を形成する必要のあるパネルを備えたＬ字形状カバー８を、背面ケース２から取り外す。図７の場合では、一例として下面右端部パネル５に配管通り口１１を形成し、下面の右端部から室外機に接続される配管を引き出することとする。次に、作業者は、取り外したＬ字形状カバー８を手に取り、配管穴形成用溝部１０を形成した縁部から切削工具の刃を格子状の溝１２に入れて格子の升目ごとに部分的に細かく切り取る。作業者は、図７に示すように、外周枠１３に沿って格子状の溝１２を切り取り、配管通り口１１を形成したら、再びＬ字形状カバー８を背面ケース２に取り付ける。なお、室外機に接続される配管を、筐体１の背面側から引き出す場合には、右側面下部パネル４、下面右端部パネル５、左側面下部パネル６、及び下面左端部パネル７のいずれにも、配管通り口１１を形成する必要はない。
【００２５】
図８は、従来の空気調和機の室内機のＬ字形状カバーを示した斜視図である。図８に示したＬ字形状カバー８０も、右側面下部パネル４と下面右端部パネル５をＬ字形状カバー８０として一体的に成形された構成である。このＬ字形状カバー８０には、室外機と室内機とを接続する配管を引き出すための第１切り欠き板８１と、第２切り欠き板８２とを有している。Ｌ字形状カバー８０は、第１切り欠き板８１を有する面から配管を引き出す場合には、第１切り欠き板８１を切り離すことで形成される穴から配管が引き出される。また、第２切り欠き板８２を有する面から配管を引き出す場合には、第２切り欠き板８２を切り離すことで形成される穴から配管が引き出される。図８に示すＬ字形状カバー８０は、第１切り欠き板８１の切り離しに利用される溝状の第１切り欠き境界線８１ａ、及び第２切り欠き板８２の切り離しに利用される溝状の第２切り欠き境界線８２ａが形成されている。第１切り欠き境界線８１ａ及び第２切り欠き境界線８２ａは、それらが形成された面から配管を引き出さない場合であっても、室内機の意匠面に存在する。そのため、図８に示すＬ字形状カバー８０が取り付けられた室内機は、意匠性に損なう課題がある。
【００２６】
一方、実施の形態１の空気調和機の室内機によれば、外郭を形成する筐体１の内面に、格子状の溝１２として形成された配管穴形成用溝部１０を備えているので、筐体１の意匠面（外面）を溝のないフラットな表面とすることができる。また、配管接続として使用しない配管穴形成用溝部１０は、外部から視認できないので、室内機の外観の意匠性を向上させることができる。更に、格子状の溝１２は、切削工具で格子の升目ごとに部分的に細かく切り取ることができるので、配管穴形成用溝部１０を切り取る作業が軽減される。
【００２７】
また、配管穴形成用溝部１０は、右側面下部パネル４、下面右端部パネル５、左側面下部パネル６、下面左端部パネル７の少なくとも一つに形成されているので、配管通り口１１を形成する際に、必要となるパネルを背面ケース２から取り外して手元で切削作業を行うことができ、切削作業の負担を軽減できる。
【００２８】
また、配管穴形成用溝部１０は、溝状に形成された外周枠１３に囲まれた枠内に格子状の溝１２が切り欠いて形成された構成なので、外周枠１３に沿ったきれいな配管通り口１１を形成することができ、意匠性の更なる向上を実現できる。
【００２９】
実施の形態２．
次に、実施の形態２に係る空気調和機の室内機を図９に基づいて説明する。図９は、本発明の実施の形態２に係る空気調和機の室内機の配管穴形成用溝部を模式的に示した平面図である。なお、実施の形態１で説明した空気調和機の室内機１００と同一の構成について、同一の符号を付して、その説明を適宜省略する。
【００３０】
実施の形態２の空気調和機の室内機１００も、右側面下部パネル４、下面右端部パネル５、左側面下部パネル６、及び下面左端部パネル７の内面側に配管穴形成用溝部１０が形成されていることは上記実施の形態１の室内機と同じである。実施の形態２の室内機１００の配管穴形成用溝部１０は、溝状に形成された大きさの異なる第１外周枠１４、第２外周枠１５、第３外周枠１６が、小さい外周枠を大きい外周枠で覆う配置で段階的に設けられており、第１外周枠１４、第２外周枠１５、第３外周枠１６で囲まれた枠内に格子状の溝１２が切り欠いて形成された構成を特徴としている。つまり、図８に示す配管穴形成用溝部１０は、配管の外径に合わせた大小異なる外周枠１４〜１６が形成された構成である。なお、図８に示した配管穴形成用溝部１０は、一例として外周枠を３つ形成した構成を示したが、２つ以上あればよい。また、第１外周枠１４、第２外周枠１５及び第３外周枠１６は、格子状の溝１２の一部の溝幅を大きくして形成した構成でもよい。
【００３１】
したがって、実施の形態２の空気調和機の室内機１００は、配管の外径に合った大きさの外周枠１４〜１６を選択して、最適な大きさの配管通り口１１を形成することができる。つまり、実施の形態２の空気調和機の室内機１００は、配管の外径に対して不必要に大きな配管通り口１１を形成することがないので、意匠的効果を高めることができるし、切削作業を作業性が高まる。もちろん、格子状の溝１２は、切削工具で格子の升目ごとに部分的に細かく切り取ることができるので、配管穴形成用溝部１０を切り取る作業が軽減されるし、外周枠１３に沿ってきれいに切り取ることができ、意匠性の向上を図ることができる。
【００３２】
また、実施の形態２の空気調和機の室内機１００によれば、外郭を形成する筐体１の内面に、格子状の溝１２として形成された配管穴形成用溝部１０を備えているので、筐体１の意匠面（外面）を溝のないフラットな表面とすることができる。そして、配管接続として使用しない配管穴形成用溝部１０は、外部から視認できないので、室内機の外観の意匠性を向上させることができる。
【００３３】
以上に本発明を実施の形態に基づいて説明したが、本発明は上述した実施の形態の構成に限定されるものではない。例えば、実施の形態１及び２では、配管穴形成用溝部１０が、右側面下部パネル４、下面右端部パネル５、左側面下部パネル６、及び下面左端部パネル７すべての内面に形成された構成を示したが、右側面下部パネル４、下面右端部パネル５、左側面下部パネル６、下面左端部パネル７のうち少なくとも一つに形成された構成でもよい。また、配管穴形成用溝部１０は、筐体１の内面に設けた構成であればよく、右側面下部パネル４、下面右端部パネル５、左側面下部パネル６、下面左端部パネル７に設ける構成に限定されない。要するに、いわゆる当業者が必要に応じてなす種々なる変更、応用、利用の範囲をも本発明の要旨（技術的範囲）に含むことを念のため申し添える。
【符号の説明】
【００３４】
１  筐体、２  背面ケース、３  前面ケース、４  右側面下部パネル、５  下面右端部パネル、６  左側面下部パネル、７  下面左端部パネル、８、９  Ｌ字形状カバー、８ａ、９ａ  取付部、８ｂ、９ｂ  リブ、１０  配管穴形成用溝部、１１  配管通り口、１２  格子状の溝、１３  外周枠、１４  第１外周枠、１５  第２外周枠、１６  第３外周枠、３０  吹出口、３１  風向調整部材、８０  Ｌ字形状カバー、８１  第１切り欠き板、８１ａ  第１切り欠き境界線、８２  第２切り欠き板、８２ａ  第２切り欠き境界線、１００  室内機。
【図１】
0006678745.tif 000002
【図２Ａ】
0006678745.tif 000003
【図２Ｂ】
0006678745.tif 000004
【図３Ａ】
0006678745.tif 000005
【図３Ｂ】
0006678745.tif 000006
【図４】
0006678745.tif 000007
【図５Ａ】
0006678745.tif 000008
【図５Ｂ】
0006678745.tif 000009
【図５Ｃ】
0006678745.tif 000010
【図５Ｄ】
0006678745.tif 000011
【図６Ａ】
0006678745.tif 000012
【図６Ｂ】
0006678745.tif 000013
【図７】
0006678745.tif 000014
【図８】
0006678745.tif 000015
【図９】
0006678745.tif 000016